(57)【要約】【課題】高密度で用品を収納しながら、電子・電気機器への操作性が改善され、表示部分に対する目視性も改善された制御盤を提供すること。【解決手段】操作部を有する電子・電気機器１３を、筐体１１内において上下動可能に取り付け、外部接続用の入出力装置１５は、電子・電気機器１３の上下動軌跡より奥まって位置に所定高さで設置したので、通常時は電子・電気機器１３を上部に位置決めすることにより入出力装置１５に対する接続作業などが容易であり、電子・電気機器１３に対する操作時は、この電子・電気機器１３を所定高さまで下降させることにより、操作性が向上し、表示部に対する目視性も向上する。【選択図】  図１
2004343849.tif 000002
【特許請求の範囲】
【請求項１】
筐体と、
この筐体内に上下動可能に取り付けられ、常時は筐体内上部に位置決めされ、必要に応じて所定高さまで下降可能な電子・電気機器と、
前記筐体内で、この電子・電気機器の上下動軌跡より奥まって位置し、筐体内所定高さに設置された外部接続用の入出力装置と、
を備えたことを特徴とする制御盤。
【発明の詳細な説明】
【０００１】
【発明の属する技術分野】
本発明は、高密度で用品が収納され、電気設備等に対する制御機能を持った制御盤に関する。
【０００２】
【従来の技術】
例えば、公共施設や民間施設の電気設備に対する制御機能を持った制御盤は、筐体内に演算装置を有する電子・電気機器（以下、コントローラユニット）や外部接続用の入出力装置（以下、Ｉ／Ｏユニット）等を高密度に実装している（例えば特許文献１参照）。
【０００３】
ここで、Ｉ／Ｏユニットは、外部に設けられた電気設備等とケーブルによって接続され、前記コントローラユニットとの間で各種の操作信号、動作・故障信号などを相互に授受している。この場合、外部接続用のケーブルは、通常、ケーブルピットから立ち上がり、筐体下部を通って筐体内部に引き込まれる（例えば、特許文献２参照）。
【０００４】
このため、筐体内の下部には外部からの引き込みケーブルが配線され、中間高さ部分にはこのケーブルが接続されるＩ／Ｏユニットが配置される。したがってコントローラユニットは、筐体内の上部に配置されることになる。
【０００５】
このように、一般的な制御盤は、筐体内の上部にコントローラユニットが配置されているが、このような構成だと、コントローラユニットを操作する場合、高い位置にある操作スイッチに手が届き難く、操作性が悪いという問題が生じる。また、筐体内の上位部には盤内灯が設けられており、コントローラユニット操作時は、筐体の正面扉を開くため、盤内灯が自動的に点灯し、その光で動作状態を表示するＬＥＤの表面部分で反射し、目視確認し難くなっている。
【０００６】
そのため、現状は盤内灯やコントローラユニット上部に遮光板を取付けて、ＬＥＤが見易くなるようにしなければならない。また、コントローラスイッチについては、手が届く範囲にコントローラユニットを配置すると筐体内上部にスペースができ、盤実装密度が悪くなる。このため、Ｉ／Ｏユニットを盤上部に配置することが考えられるが、Ｉ／Ｏユニットには、前述のように、下部から外線ケーブルが接続されるため、上部に配置することは難しい。
【０００７】
【特許文献１】
特開平１１−１８７５１９号公報  図２
【０００８】
【特許文献２】
特開２００１−１８６６０８号公報  図２
【０００９】
【発明が解決しようとする課題】
このように従来の制御盤は、コントローラユニットなどの電子・電気機器が筐体内の上部に設置されているため、操作性が悪く、表示用ＬＥＤの目視性も悪かった。
【００１０】
本発明の目的は、高密度で用品を収納しながら、電子・電気機器への操作性が改善され、表示部分に対する目視性も改善された制御盤を提供することにある。
【００１１】
【課題を解決するための手段】
本発明による制御盤は、筐体と、この筐体内に上下動可能に取り付けられ、常時は筐体内上部に位置決めされ、必要に応じて所定高さまで下降可能な電子・電気機器と、前記筐体内で、この電子・電気機器の上下動軌跡より奥まって位置し、筐体内所定高さに設置された外部接続用の入出力装置とを備えたことを特徴とする。
【００１２】
本発明では、電子・電気機器を、筐体内において上下動可能に取り付け、外部接続用の入出力装置は、電子・電気機器の上下動軌跡より奥まって位置に所定高さで設置したので、通常時は電子・電気機器を上部に位置決めすることにより入出力装置に対する接続作業などが容易であり、電子・電気機器に対する操作時は、この電子・電気機器を所定高さまで下降させることにより、操作性が向上し、表示部に対する目視性も向上する。
【００１３】
【発明の実施の形態】
以下、本発明による制御盤の一実施の形態を、図面を参照して説明する。
【００１４】
図１は制御盤の盤内実装図で、（ａ）は正面図、（ｂ）は側面図である。図において、１１は筐体で、この筐体１１内の上部には盤内灯１２が設けられている。この盤内灯１２は、筐体１１内上部に固定取付けされており、図示しない正面扉を開くことにより電源スイッチがオン操作され、筐体１１内部を照明する。
【００１５】
１３はコントローラ等の電子・電気機器（以下、コントローラユニットとして説明する）で、図１（ｂ）で示すように、筐体１１内の奥行き方向中間部に設けられた上下方向のスライド機構１４に取り付けられており、上下動可能に構成されている。このコントローラユニット１３は、その正面部に図示しないが操作部を持っており、常時は筐体１１内上部に位置決めされているが、必要に応じて、正面操作部に対する操作が容易な所定高さまで下降する。
【００１６】
１５は外部接続用の入出力装置（以下、Ｉ／Ｏユニットと呼ぶ）で、筐体１１内において、コントローラユニット１３の上下動軌跡より奥まって位置に、所定高さで設置されている。すなわち、このＩ／Ｏユニット１５は、筐体１１内において、コントローラユニット１３と、盤奥方向に段違いで配置されている。そして、このＩ／Ｏユニット１５の下部には、筐体１１の設置面に形成された図示しないケーブルピットから立ち上がり、筐体１１内に、その底面から引き込まれた外線ケーブル１６が接続されている。
【００１７】
上記構成において、常時（筐体１１の図示しない正面扉を閉じた通常の運転状態）、コントローラユニット１３は筐体１１内の上部に上げておく。このような状態において、筐体１１内のコントローラユニット１３を操作する必要が生じた場合、先ず、筐体１１の図示しない正面扉を開放する。このとき、図示しないドアスイッチによる照明電源スイッチがオンされ、盤内灯１２が点灯する。
【００１８】
この状態において、コントラローラユニット１３が高い位置にあるため、その正面操作部に設けられた操作スイッチに手が届き難く、このままでは操作性が悪い。また、コントローラユニット１３の正面には、その動作状態を表示するＬＥＤが設けられているが、前述のように盤内灯１２が点灯すると、コントローラユニット１３が高い位置にあるため、その近くに位置する盤内灯１２の光がＬＥＤの表面部分で反射し、目視確認し難くなっている。
【００１９】
このように、コントローラユニット１３が高い位置にあると、操作や動作状態の目視確認が困難なため、スライド機構１４の下端部を引き下げ、コントローラユニット１３を図１（ｂ）のように下降させる。この操作により、コントローラユニット１３は筐体１１内の、操作及び目視確認しやすい高さに移動するので、コントロールユニット１３正面操作部におけるスイッチ操作や、動作表示用ＬＥＤの目視確認を容易かつ確実に行うことができる。
【００２０】
このように、コントローラユニット１３を下降させた場合、Ｉ／Ｏユニット１５は一時的にコントローラユニット１３によって覆われるが、コントローラユニット１３に対する操作が終了すれば、コントローラユニット１３は元の高い位置に復帰操作されるため、直ちにＩ／Ｏユニット１５は正面に表われ、外線ケーブル１６の接続状態の確認や、その接続或いは取外し作業を容易に行うことができる。
【００２１】
【発明の効果】
本発明によれば、電子・電気機器と入出力装置とを筐体内に置いて奥行き方向に段違いに配置し、かつ電子・電気機器を上下動可能に構成したので、高密度で用品を収納しながら、電子・電気機器への操作性が改善され、表示部分に対する目視性も改善された。
【図面の簡単な説明】
【図１】本発明による制御盤一実施の形態を示しており（ａ）は内部正面図を、（ｂ）は内部側面図を示している。
【符号の説明】
１１    筐体
１２    盤内灯
１３    電子・電気機器
１４    上下スライド機構
１５    入出力装置低速バスＩＦ
１６    外部接続ケーブル
【図１】
2004343849.tif 000003